(57)【要約】  データを送受信するためにユニバーサルモバイルテレコミュニケーションシステム（ＵＭＴＳ）セルラネットワークに接続可能なモデムであって、アイドル状態、１つ又は複数の中間状態、及び専用チャネル状態を有し、（ａ）アイドル状態ではモデムはＵＭＴＳセルラネットワークに接続されず、（ｂ）専用チャネル状態ではモデムが専用通信チャネルによってＵＭＴＳセルラネットワークに接続され、（ｃ）中間状態のそれぞれではモデムが専用通信チャネルによってＵＭＴＳセルラネットワークに接続されず、対応する中間状態から専用チャネル状態に遷移するのにかかる第１の期間はアイドル状態から専用チャネル状態に遷移するのにかかる第２の期間よりも短い、モデムと、ＵＥの状態遷移制度を維持するように構成される処理資源であって、状態遷移制度は（ａ）少なくとも１つの期間にわたってアイドル状態へのＵＥの少なくとも１つの遷移を阻止すること、及び（ｂ）ＵＥをアイドル状態に周期的に遷移させ、それによりモデムがＵＭＴＳセルラネットワークからＬＴＥセルラネットワークに切り替わることを可能にすることを含む、処理資源とを含む、ユーザ機器（ＵＥ）。
2021525023.tif 000002
【特許請求の範囲】
【請求項１】
データを送受信するためにロングタームエボリューション（ＬＴＥ）セルラネットワークに接続可能であり且つユニバーサルモバイルテレコミュニケーションシステム（ＵＭＴＳ）セルラネットワークに接続可能なモデムであって、前記モデムは前記ＵＭＴＳセルラネットワークに接続されるときアイドル状態、１つ又は複数の中間状態、及び専用チャネル状態を有し、（ａ）前記専用チャネル状態では前記モデムが専用通信チャネルによって前記ＵＭＴＳセルラネットワークに接続され、（ｂ）前記中間状態のそれぞれでは前記モデムが前記専用通信チャネルによって前記ＵＭＴＳセルラネットワークに接続されず、前記対応する中間状態から前記専用チャネル状態に遷移するのにかかる第１の期間は前記アイドル状態から前記専用チャネル状態に遷移するのにかかる第２の期間よりも短い、モデムと、
前記モデムが前記ＵＭＴＳセルラネットワークに接続されるときユーザ機器（ＵＥ）の状態遷移制度を維持するように構成される処理資源であって、前記状態遷移制度は（ａ）少なくとも１つの期間にわたってアイドル状態への前記ＵＥの少なくとも１つの遷移を阻止すること、及び（ｂ）前記ＵＥを前記アイドル状態に周期的に遷移させ、それにより前記モデムが前記ＵＭＴＳセルラネットワークから前記ＬＴＥセルラネットワークに切り替わることを可能にすることを含む、処理資源と
を含む、ＵＥ。
【請求項２】
前記状態遷移制度が前記ＵＥを前記専用チャネル状態に周期的に遷移させ、それにより前記ＵＥに関連する発見情報を前記セルラネットワークに更新させることを更に含む、請求項１に記載のＵＥ。
【請求項３】
前記アイドル状態にある前記ＵＥの第１の電力消費量が前記中間状態にある前記ＵＥの第２の電力消費量よりも低く、前記中間状態にある前記ＵＥの前記第２の電力消費量が前記専用チャネル状態にある前記ＵＥの第３の電力消費量よりも低い、請求項１に記載のＵＥ。
【請求項４】
前記中間状態がＵＲＡ＿ＰＣＨ状態、ＣＥＬＬ＿ＰＣＨ状態、又はＣＥＬＬ＿ＦＡＣＨ状態のうちの１つ又は複数である、請求項１に記載のＵＥ。
【請求項５】
前記処理資源が前記阻止のために前記ＵＭＴＳセルラネットワークにメッセージを周期的に伝送するように構成される、請求項１に記載のＵＥ。
【請求項６】
前記処理資源がデータサービスを助けるために前記モデムを利用してデータを送受信するように更に構成される、請求項１に記載のＵＥ。
【請求項７】
前記データサービスが前記ＵＭＴＳセルラネットワーク上の又は前記ＬＴＥセルラネットワーク上のプッシュツートーク（ＰＴＴ）である、請求項６に記載のＵＥ。
【請求項８】
前記ＵＥが携帯電話装置である、請求項１に記載のＵＥ。
【請求項９】
マイクロフォン及びスピーカを更に含み、前記ＵＥのユーザが前記ＵＥを使用して会話を行うことを可能にする、請求項８に記載のＵＥ。
【請求項１０】
データを送受信するために、モデムを含むユーザ機器（ＵＥ）をユニバーサルモバイルテレコミュニケーションシステム（ＵＭＴＳ）セルラネットワークに接続することであって、前記モデムは前記ＵＥをロングタームエボリューション（ＬＴＥ）セルラネットワークに接続可能であり且つ前記ＵＥを前記ＵＭＴＳセルラネットワークに接続可能であり、前記モデムは前記ＵＭＴＳセルラネットワークに接続されるときアイドル状態、１つ又は複数の中間状態、及び専用チャネル状態を有し、（ａ）前記専用チャネル状態では前記モデムが専用通信チャネルによって前記ＵＭＴＳセルラネットワークに接続され、（ｂ）前記中間状態のそれぞれでは前記モデムが前記専用通信チャネルによって前記ＵＭＴＳセルラネットワークに接続されず、前記対応する中間状態から前記専用チャネル状態に遷移するのにかかる第１の期間は前記アイドル状態から前記専用チャネル状態に遷移するのにかかる第２の期間よりも短い、接続すること、及び
前記モデムが前記ＵＭＴＳセルラネットワークに接続されるとき前記ＵＥの状態遷移制度を前記ＵＥの処理資源によって維持することであって、前記状態遷移制度は（ａ）少なくとも１つの期間にわたってアイドル状態への前記ＵＥの少なくとも１つの遷移を阻止すること、及び（ｂ）前記ＵＥを前記アイドル状態に周期的に遷移させ、それにより前記モデムが前記ＵＭＴＳセルラネットワークから前記ＬＴＥセルラネットワークに切り替わることを可能にすることを含む、維持すること
を含む、方法。
【請求項１１】
前記状態遷移制度が前記ＵＥを前記専用チャネル状態に周期的に遷移させ、それにより前記ＵＥに関連する発見情報を前記セルラネットワークに更新させることを更に含む、請求項１０に記載の方法。
【請求項１２】
前記アイドル状態にある前記ＵＥの第１の電力消費量が前記中間状態にある前記ＵＥの第２の電力消費量よりも低く、前記中間状態にある前記ＵＥの前記第２の電力消費量が前記専用チャネル状態にある前記ＵＥの第３の電力消費量よりも低い、請求項１０に記載の方法。
【請求項１３】
前記中間状態がＵＲＡ＿ＰＣＨ状態、ＣＥＬＬ＿ＰＣＨ状態、又はＣＥＬＬ＿ＦＡＣＨ状態のうちの１つ又は複数である、請求項１０に記載の方法。
【請求項１４】
前記阻止のために前記ＵＭＴＳセルラネットワークにメッセージを前記処理資源によって周期的に伝送することを更に含む、請求項１０に記載の方法。
【請求項１５】
データサービスを助けるために前記モデムを利用して前記処理資源によってデータを送受信することを更に含む、請求項１０に記載の方法。
【請求項１６】
前記データサービスが前記ＵＭＴＳセルラネットワーク上の又は前記ＬＴＥセルラネットワーク上のプッシュツートーク（ＰＴＴ）である、請求項１５に記載の方法。
【請求項１７】
前記ＵＥが携帯電話装置である、請求項１０に記載の方法。
【請求項１８】
前記ＵＥがマイクロフォン及びスピーカを更に含み、前記ＵＥのユーザが前記ＵＥを使用して会話を行うことを可能にする、請求項１７に記載の方法。
【請求項１９】
コンピュータ可読プログラムコードが一緒に実装される非一時的コンピュータ可読記憶媒体であって、前記コンピュータ可読プログラムコードは、
データを送受信するためにユーザ機器（ＵＥ）をユニバーサルモバイルテレコミュニケーションシステム（ＵＭＴＳ）セルラネットワークに接続することであって、モデムは前記ＵＥをロングタームエボリューション（ＬＴＥ）セルラネットワークに接続可能であり且つ前記ＵＥを前記ＵＭＴＳセルラネットワークに接続可能であり、前記モデムは前記ＵＭＴＳセルラネットワークに接続されるときアイドル状態、１つ又は複数の中間状態、及び専用チャネル状態を有し、（ａ）前記専用チャネル状態では前記モデムが専用通信チャネルによって前記ＵＭＴＳセルラネットワークに接続され、（ｂ）前記中間状態のそれぞれでは前記モデムが前記専用通信チャネルによって前記ＵＭＴＳセルラネットワークに接続されず、前記対応する中間状態から前記専用チャネル状態に遷移するのにかかる第１の期間は前記アイドル状態から前記専用チャネル状態に遷移するのにかかる第２の期間よりも短い、接続すること、及び
前記モデムが前記ＵＭＴＳセルラネットワークに接続されるとき前記ＵＥの状態遷移制度を維持することであって、前記状態遷移制度は（ａ）少なくとも１つの期間にわたってアイドル状態への前記ＵＥの少なくとも１つの遷移を阻止すること、及び（ｂ）前記ＵＥを前記アイドル状態に周期的に遷移させ、それにより前記モデムが前記ＵＭＴＳセルラネットワークから前記ＬＴＥセルラネットワークに切り替わることを可能にすることを含む、維持すること
を含む方法を実行するために、前記モデムを含む前記ＵＥの少なくとも１つのプロセッサによって実行可能である、
非一時的コンピュータ可読記憶媒体。
【発明の詳細な説明】
【技術分野】
【０００１】
技術分野
本発明は、セルラネットワークによる短応答時間データサービスのためのシステム及び方法に関する。
【背景技術】
【０００２】
背景
セルラネットワーク上のデータサービスは、セルラネットワークにモデム経由で接続される様々なユーザ機器（ＵＥ）（例えば携帯電話、ラップトップコンピュータ、タブレット、スマートフォン、スマートウォッチ、モノのインターネット装置等）を使用してユーザにサービスを提供するための一般的な方法になっている。移動体通信事業者（ＭＮＯ）はセルラ方式によるデータサービスをユーザに提供する。ＭＮＯがデータサービスの適切なレベル（セットアップ時間、レイテンシ等）を維持するには、データサービスがセルラネットワーク資源を利用するやり方に特別な配慮をなすべきである。
【０００３】
不十分なユーザエクスペリエンスを招かないやり方でサービスが動作するように、データサービスの一部は短い応答時間を必要とする。Ｐｕｓｈ  ｔｏ  Ｔａｌｋ  ｏｖｅｒ  Ｃｅｌｌｕｌａｒ（ＰｏＣ）サービスは、そのような短い応答時間を必要とするデータサービスの一例である。ＰｏＣはユーザが自分のＵＥを携帯用無線電話器としてセルラネットワーク上で使用することを可能にするデータサービスであり、ボタンを一押しすることで単一のユーザが別のユーザ又はユーザ群とＰｏＣセッションを確立することを可能にする。典型的なプッシュツートーク接続はＰｏＣセッションをほぼ即座に確立すべきである。
【０００４】
ユニバーサルモバイルテレコミュニケーションシステム（ＵＭＴＳ）セルラネットワーク（即ち３Ｇ及び３．５Ｇセルラネットワーク）向けの現行の実装は、これらのデータサービスを消費するＵＥ上のアプリケーションによって必要とされる短い応答時間を維持するためにセルラネットワークを「回線交換」式に利用する。この方法により、データサービスに参加している各ＵＥに専用物理チャネルが継続的に割り当てられる。この方法は、データトラフィックが適用されていないときでさえ高コストのネットワーク資源を維持することを必要とし、モデムが常に使用されるのでＵＥの高エネルギ消費量の原因になり、従ってＵＥの電池残時間を短くする。ＵＭＴＳセルラネットワークを使用する現行のＰｏＣ実装はセルラモデムをアイドル状態から専用チャネル状態に活性化し、ＵＥがセルラネットワークを介してデータを送受信できるようにするとき長いセットアップ時間定数を要する。これらの時間定数は幾らかの秒数かかることがあり、従来の携帯用無線電話器と比較して不十分なユーザエクスペリエンスを与える可能性がある。
【０００５】
セルラネットワーク資源の効率的使用を保ちながら、不十分なユーザエクスペリエンスを生じさせないやり方で短応答時間データサービスのための効率的なシステム及び方法を提供する必要がある。従って、セルラネットワークによる短応答時間データサービスのための新規の方法及びシステムが当技術分野で求められている。
【０００６】
本明細書で開示する内容の背景として関連すると考える参考文献を以下に列挙する。本明細書の参考文献を承認することは、それらの参考文献が本明細書で開示する内容の特許性に多少なりとも関連することを意味するものだと推論すべきではない。
【０００７】
ＨＳＰＡデータネットワークにおけるレイテンシ（Ｍｏｈａｎ,  Ｓｉｄｄｈａｒｔｈ,  Ｒｏｈｉｔ  Ｋａｐｏｏｒ,  ａｎｄ  Ｂｉｂｈｕ  Ｍｏｈａｎｔｙ.  Ｌａｔｅｎｃｙ  ｉｎ  ＨＳＰＡ  ｄａｔａ  ｎｅｔｗｏｒｋｓ.  Ｗｈｉｔｅ  ｐａｐｅｒ  ｏｆ  Ｑｕａｌｃｏｍｍ  （２０１１））は、レイテンシ及びスループットが通信ネットワークの２つの重大な性能測定基準だと開示している。近年、高次変調、ＭＩＭＯ、及び帯域幅の集約（マルチキャリア）等の物理層及びＭＡＣ層の技法を使用することによって無線広域ネットワーク（ＷＷＡＮ）のスループット（又はスペクトル効率）を改善することに多くの注目が集まっている。一部のデータアプリケーションは高データ転送速度の恩恵を直接受けるが、多くのアプリケーションでは高データ転送速度はレイテンシが低くない限りユーザエクスペリエンスの改善にはならない。本明細書では、ＨＳＰＡデータシステムにおける制御プレーン（Ｃ−ｐｌａｎｅ）及びユーザプレーン（Ｕ−ｐｌａｎｅ）のレイテンシを検討する。本発明者らは、（現在の慣習である専用チャネルとは対照的に）ＨＳ−ＤＳＣＨチャネル及びＥ−ＤＣＨチャネル上で信号を搬送することによってＨＳＰＡ内で著しいＣ−ｐｌａｎｅのレイテンシの低減を実現できることを示す。本発明者らは、比較可能なスペクトル効率を有するＨＳＰＡ及びＬＴＥのＣ−ｐｌａｎｅレイテンシ及びＵ−ｐｌａｎｅレイテンシも比較する。
【０００８】
２０１１年４月１２日に公開された米国特許第７，９２５，２９０号（Ｒｏｓｅｎら）は、無線通信ネットワーク上のプッシュツートーク（ＰＴＴ）通信のための高性能ディスパッチサービスを提供するためのシステム及び方法を開示する。無線装置に電源が投入されると、無線装置はサーバに登録し、アイドル状態ではなくページング状態に遷移する。無線装置がＰＴＴ通信を伝送する準備が整うと、無線装置はサーバにメッセージを送信し、サーバから確認を受信したら伝送状態に遷移する。伝送状態になると、無線装置はサーバにＰＴＴ通信を伝送する準備が整う。
【０００９】
２０１４年９月３０日に公開された米国特許第８，８４８，５５３号（Ｓｏｎｇら）は、ユーザ機器（ＵＥ）がアプリケーションサーバによって調停される少なくとも１つの他のＵＥと通信セッションを開始することに決める実施形態を開示する。ＵＥは、通信セッションの種類（例えば遅延敏感型、ＰＴＴ等）及び／又はアプリケーションサーバによる通信セッションの開始を要求するためにＵＥによって送信されるコールメッセージのサイズを決定する。ＵＥは、決定した通信セッションの種類及び／又は決定したコールメッセージのサイズに少なくとも部分的に基づき、その上でコールメッセージを伝送する逆方向リンクチャネルを選択する。ＵＥは、選択された逆方向リンクチャネル上の伝送をサポートする所与の状態（例えばＣＥＬＬ＿ＦＡＣＨ、ＣＥＬＬ＿ＤＣＨ等）に遷移する。所与の状態に遷移した後、ＵＥは選択された逆方向リンクチャネル上でコールメッセージを伝送する。
【００１０】
２００５年６月３０日に公開された米国特許出願第２００５／０１４１５４１号（Ｃｕｎｙら）は、サービングアクセスネットワークによってユーザ機器とメディア通信サーバとの間でリアルタイムメディアセッションが確立されることを開示する。この発明によれば、リアルタイムメディアセッションの非活性期間中に専用チャネルを維持するために、又はアクセスネットワークにおける専用チャネルの早期セットアップを引き起こすためにダミーデータ（例えばダミーメッセージ）が送信される。このようにして、リアルタイムメディア（例えばＰｏＣ）セッションにログオンしているユーザ機器が無線資源アイドル状態になるのが阻止され、それによりリアルタイムメディア（例えばＰｏＣ）サービス使用中の潜在的な長い追加遅延を回避する。この発明は、送信側及び受信側のユーザ機器が、伝送側ユーザ機器のスタートツートーク手続き中に既に専用チャネル（ＤＣＨ）をセットアップすることを更に可能にし、そのことはひいては会話中のエンドツーエンド遅延を潜在的に減らす。
【００１１】
２０１７年１２月５日に公開された米国特許第９，８３８，９６４号（Ｓｉｎｇｈａｉら）は、無線通信ネットワーク内で動作可能なユーザ機器、ＲＮＣ、又はアプリケーション、及びアプリケーション駆動スキームによって制御される休止状態にユーザ機器を遷移させることができる方法を開示する。アプリケーション駆動スキームに従い、休止状態に入るように無線装置をトリガするためにアプリケーションサーバにおけるアクティブプロセスから要求が受信され、或る時間間隔に対応するネットワークトラフィック情報が無線装置から受信される。その時間間隔中に無線装置のトランスポート層におけるネットワークトラフィックにアクティブプロセスだけが関与することをネットワークトラフィック情報が示す場合、無線装置が休止状態に入るように１つ又は複数のコマンドが無線装置に伝送される。
【００１２】
２０１５年４月１４日に公開された米国特許第９，００８，０２３号（Ｋｈａｙ−Ｉｂｂａｔ）は、ユーザ機器（ＵＥ）がアプリケーションサーバによって調停される少なくとも１つの他のＵＥと通信セッションを開始することに決めることを開示する。ＵＥは、通信セッションの種類（例えば遅延敏感型、ＰＴＴ等）及び／又はアプリケーションサーバによる通信セッションの開始を要求するためにＵＥによって送信されるコールメッセージのサイズを決定する。ＵＥは、決定した通信セッションの種類及び／又は決定したコールメッセージのサイズに少なくとも部分的に基づき、その上でコールメッセージを伝送する逆方向リンクチャネルを選択する。ＵＥは、選択された逆方向リンクチャネル上の伝送をサポートする所与の状態（例えばＣＥＬＬ＿ＦＡＣＨ、ＣＥＬＬ＿ＤＣＨ等）に遷移する。所与の状態に遷移した後、ＵＥは選択された逆方向リンクチャネル上でコールメッセージを伝送する。
【００１３】
２０１６年１０月１１日に公開された米国特許第９，４６７，９１７号（Ｆａｒｎｓｗｏｒｔｈら）は、回線交換通話を確立するためのユーザ機器における方法を開示し、ユーザ機器はＣｅｌｌ  Ｆｏｒｗａｒｄ  Ａｃｃｅｓｓ  ＣＨａｎｎｅｌ（ＣＥＬＬ＿ＦＡＣＨ）状態、Ｃｅｌｌ  Ｐａｇｉｎｇ  ＣＨａｎｎｅｌ（ＣＥＬＬ＿ＰＣＨ）状態、又はＵＴＲＡＮ  Ｒｅｇｉｓｔｒａｔｉｏｎ  Ａｒｅａ  Ｐａｇｉｎｇ  ＣＨａｎｎｅｌ（ＵＲＡ＿ＰＣＨ）状態にあり、この方法は回線交換通話が保留中であるという指示を受信し、Ｃｅｌｌ  Ｄｅｄｉｃａｔｅｄ  ＣＨａｎｎｅｌ（ＣＥＬＬ＿ＤＣＨ）状態に遷移するようにユーザ機器を促すためのメッセージをネットワーク要素に送信し、メッセージは保留中のアップリンクデータが閾値を上回ることを示すトラフィック量インジケータ情報要素を有するセル更新メッセージ又はＲＲＣＣｏｎｎｅｃｔｉｏｎＲｅｑｕｅｓｔメッセージのうちの１つであり、回線交換通話を確立する。
【００１４】
２０１２年９月１１日に公開された米国特許第８，２６５，０３９号（Ｒｅｚａら）は、無線通信装置におけるハンドオフ操作を助けるための方法及び機器を提供するを開示する。この方法は、複数のパイロット信号を無線通信装置によって受信することであって、複数のパイロット信号はアクティブパイロット信号及び１つ又は複数の候補パイロット信号を含む、受信すること、アクティブパイロット信号と比較するための少なくとも１つの公称アクティブパイロット信号強度値を選択すること、少なくとも１つの候補パイロット信号に対応するハンドオフ要因に基づいて１つ又は複数の候補パイロット信号を複数の階層のそれぞれに分類することであって、複数の階層は１つ又は複数のハンドオフ要因に従って分割される、分類すること、及び複数の階層のそれぞれについて少なくとも１つの閾値ハンドオフ値を選択することであって、少なくとも１つの閾値ハンドオフ値は少なくとも１つの公称アクティブパイロット信号強度値の１つに部分的に依存する、選択することを含み得る。
【００１５】
２０１４年９月３０日に公開された米国特許第８，８４９，９６１号（Ｈａｒｔｉｋａｉｎｅｎら）は、常時オンアプリケーションクライアント通信を維持するシステム及び方法を提供するを開示する。常時オンアプリケーションクライアントをホストする装置上に実装されるアプリケーションプログラミングインタフェースが、装置が動作するネットワーク内にネットワークベースのキープアライブ機能が存在するかどうかを判定する。ネットワークベースのキープアライブ機能が存在する場合、ネットワーク要素は装置の代わりにアプリケーションサーバにキープアライブメッセージを伝送するように指示される。ネットワーク要素は様々な既存のネットワーク要素によって又はかかるネットワーク要素として、例えばＧＰＲＳゲートウェイサービングノード又は独立型のキープアライブネットワーク要素として実装することができる。或いは、常時オンアプリケーションクライアントに通信可能に接続されるアプリケーションサーバが、ネットワークベースのキープアライブ機能が存在するかどうかをクエリすることができる。ネットワークベースのキープアライブ機能が存在する場合、アプリケーションサーバが常時オンアプリケーションクライアントとネゴシエートして、ネットワークベースのキープアライブ機能を実装するためのアプリケーション固有メカニズムを決定する。アプリケーションサーバがネットワークベースのキープアライブ機能をクエリするとき、アプリケーションプログラミングインタフェースを利用する必要はない。
【００１６】
２０１６年９月２０日に公開された米国特許第９，４５１，３８３号（Ｂｕｌｕｔら）は、クラウド計算環境内で１つ又は複数の通信セッションを確立し、システム資源及び電力資源の消費を管理しながら１つ又は複数の通信セッションの確立を保つための手法を開示する。この手法は、少なくとも１つの装置と１つ又は複数の他の装置との間で１つ又は複数の通信セッションを少なくとも部分的に確立させることを含み、通信セッションは１つ又は複数の通知メッセージを少なくとも部分的に伝える。この手法は、１つ又は複数の通信セッションを維持するための１つ又は複数のハートビート信号を生成するための１つ又は複数のパラメータを決定するために、装置資源情報、装置機能情報、ネットワーク資源情報、又はそれらのものの組み合わせを処理すること及び／又は処理するのを助けることも含む。
【発明の概要】
【課題を解決するための手段】
【００１７】
概要
本明細書で開示する内容の第１の態様によれば、データを送受信するためにユニバーサルモバイルテレコミュニケーションシステム（ＵＭＴＳ）セルラネットワークに接続可能なモデムであって、アイドル状態、１つ又は複数の中間状態、及び専用チャネル状態を有し、（ａ）アイドル状態ではモデムはＵＭＴＳセルラネットワークに接続されず、（ｂ）専用チャネル状態ではモデムが専用通信チャネルによってＵＭＴＳセルラネットワークに接続され、（ｃ）中間状態のそれぞれではモデムが専用通信チャネルによってＵＭＴＳセルラネットワークに接続されず、対応する中間状態から専用チャネル状態に遷移するのにかかる第１の期間はアイドル状態から専用チャネル状態に遷移するのにかかる第２の期間よりも短い、モデムと、ＵＥの状態遷移制度を維持するように構成される処理資源であって、状態遷移制度は少なくとも１つの期間にわたってアイドル状態へのＵＥの少なくとも１つの遷移を阻止することを含む、処理資源とを含む、ユーザ機器（ＵＥ）が提供される。
【００１８】
一部の事例では、モデムがロングタームエボリューション（ＬＴＥ）セルラネットワークに更に接続可能であり、処理資源がＵＥをアイドル状態に周期的に遷移させ、それによりモデムがＵＭＴＳセルラネットワークからＬＴＥセルラネットワークに切り替わることを可能にするように更に構成される。
【００１９】
一部の事例では、アイドル状態にあるＵＥの第１の電力消費量が中間状態にあるＵＥの第２の電力消費量よりも低く、中間状態にあるＵＥの第２の電力消費量が専用チャネル状態にあるＵＥの第３の電力消費量よりも低い。
【００２０】
一部の事例では、中間状態がＵＲＡ＿ＰＣＨ状態、ＣＥＬＬ＿ＰＣＨ状態、又はＣＥＬＬ＿ＦＡＣＨ状態のうちの１つ又は複数である。
【００２１】
一部の事例では、処理資源が阻止のためにＵＭＴＳセルラネットワークにメッセージを周期的に伝送するように構成される。
【００２２】
一部の事例では、処理資源がデータサービスを助けるためにモデムを利用してデータを送受信するように更に構成される。
【００２３】
一部の事例では、データサービスがＵＭＴＳセルラネットワーク上の又はＬＴＥセルラネットワーク上のプッシュツートーク（ＰＴＴ）である。
【００２４】
一部の事例では、ＵＭＴＳセルラネットワーク上のＰＴＴセッションがＵＥによって１秒足らずで開始される。
【００２５】
一部の事例では、ＵＥが携帯電話装置である。
【００２６】
一部の事例では、ＵＥがマイクロフォン及びスピーカを更に含み、ＵＥのユーザがＵＥを使用して会話を行うことを可能にする。
【００２７】
本明細書で開示する内容の第２の態様によれば、データを送受信するためにセルラネットワークに接続可能なモデムであって、少なくともアイドル状態及び専用チャネル状態を有し、（ａ）アイドル状態ではモデムはセルラネットワークに接続されず、（ｂ）専用チャネル状態ではモデムが専用通信チャネルによってセルラネットワークに接続される、モデムと、ＵＥの状態遷移制度を維持するように構成される処理資源であって、状態遷移制度はＵＥを専用チャネル状態に周期的に遷移させ、それによりＵＥに関連する発見情報をセルラネットワークに更新させる、処理資源とを含む、ＵＥが提供される。
【００２８】
図面の簡単な説明
本明細書で開示する内容を理解し、それを実際にどのように実行できるのかを知るために、次に添付図面を参照して本内容を専ら非限定的な例として説明する。
【図面の簡単な説明】
【００２９】
【図１】本明細書で開示する内容による、セルラネットワーク上で動作するデータサービスの概略図である。
【図２】本明細書で開示する内容による、セルラネットワークによる短応答時間データサービスのためのシステムの一例を概略的に示すブロック図である。
【図３】本明細書で開示する内容による、ＵＥが取り得る状態の一例を概略的に示すブロック図である。
【図４】本明細書で開示する内容による、アイドル状態へのＵＥの少なくとも１つの遷移を阻止するために実行される一連の操作の一例を示す流れ図である。
【図５】本明細書で開示する内容による、ＵＥに関連する発見情報をセルラネットワークに更新させるために実行される一連の操作の一例を示す流れ図である。
【図６】本明細書で開示する内容による、アイドル状態へのＵＥの少なくとも１つの遷移を阻止するためにＵＥにおいて実行されるアルゴリズムの一例を示す流れ図である。
【発明を実施するための形態】
【００３０】
詳細な説明
以下の詳細な説明では、本明細書で開示する内容の完全な理解を可能にするために数多くの具体的詳細を記載する。但し、それらの具体的詳細なしに本明細書で開示する内容を実践できることを当業者なら理解されよう。他の例では、本明細書で開示する内容を不明瞭にしないために、よく知られている方法、手続き、及びコンポーネントについて詳しくは説明していない。
【００３１】
記載する図面及び説明では、同一の参照番号は様々な実施形態又は構成に共通のコンポーネントを示す。
【００３２】
別段の定めがない限り、以下の解説から明らかなように本明細書の全体を通して「維持する」、「遷移する」、「応答する」、「充てる」、「動作する」等の用語を用いた解説は、データを他のデータに操作する及び／又は変換するコンピュータのアクション及び／又はプロセスを含み、前述のデータは例えば電子量等の物理量として表され、及び／又は対象物を表す。「コンピュータ」、「プロセッサ」、及び「コントローラ」という用語は、非限定的な例としてパーソナルデスクトップ／ラップトップコンピュータ、サーバ、計算システム、通信装置、スマートフォン、タブレットコンピュータ、スマートテレビ、プロセッサ（例えばデジタル信号プロセッサ（ＤＳＰ）、マイクロコントローラ、書換可能ゲートアレイ（ＦＰＧＡ）、特定用途向け集積回路（ＡＳＩＣ）等）、様々なタスクの性能を共有する複数の物理機械のグループ、単一の物理機械上で一緒に常駐する仮想サーバ、他の任意の電子計算装置、及び／又はそれらのものの任意の組み合わせを含む、データ処理機能を有する任意の種類の電子装置を含むと拡張的に解釈すべきである。
【００３３】
本明細書の教示による操作は所望の目的のために特別に構築されたコンピュータによって、又は非一時的コンピュータ可読記憶媒体の中に記憶されるコンピュータプログラムによって所望の目的のために特別に構成された汎用コンピュータによって実行され得る。「非一時的」という用語は、本明細書では一時的な伝搬信号を除外するために使用するが、そうでない場合は本願に適した任意の揮発性又は不揮発性コンピュータメモリ技術を含むように使用する。
【００３４】
本明細書で使用するとき、「例えば」、「等」、「例として」という語句、及びその異形体は本明細書で開示する内容の非限定的な実施形態を表す。本明細書での「一事例」、「一部の事例」、「他の事例」、又はその異形体への言及は、実施形態に関連して説明する特定の特徴、構造、又は特性が本明細書で開示する内容の少なくとも１つの実施形態に含まれることを意味する。従って、「一事例」、「一部の事例」、「他の事例」、又はその異形体の登場は必ずしも同じ実施形態に言及しているとは限らない。
【００３５】
別段の定めがない限り、明瞭にするために別々の実施形態の脈絡で説明する本明細書で開示する内容の特定の特徴は単一の実施形態の中で組み合わせによっても提供できることが理解されよう。逆に、簡潔にするために単一の実施形態の脈絡で説明する本明細書で開示する内容の様々な特徴を別々に又は任意の適切なサブコンビネーションによって提供することもできる。
【００３６】
本明細書で開示する内容の実施形態では、図４〜図５に示すよりも少ない段階、多い段階、及び／又は示されている段階と異なる段階が実行され得る。本明細書で開示する内容の実施形態では、図４〜図５に示す１つ又は複数の段階を異なる順序で実行することができ、及び／又は段階の１つ若しくは複数のグループを同時に実行することができる。図１〜図３は、本明細書で開示する内容の実施形態によるシステムアーキテクチャの全般的な概略図を示す。図１〜図３の各モジュールは、本明細書で定め説明する機能を実行するソフトウェア、ハードウェア、及び／又はファームウェアの任意の組み合わせで構成することができる。図１〜図３のモジュールは１つの位置に集中化することができ、又は複数の位置に分散させることができる。本明細書で開示する内容の他の実施形態では、システムが図１〜図３に示すよりも少ないモジュール、多いモジュール、及び／又は示されているモジュールと異なるモジュールを含み得る。
【００３７】
本明細書での方法への如何なる言及も、その方法を実行可能なシステムに必要な変更を加えて適用されるべきであり、コンピュータによって実行されるときにその方法の実行をもたらす命令を記憶する非一時的コンピュータ可読媒体に必要な変更を加えて適用されるべきである。
【００３８】
本明細書でのシステムへの如何なる言及も、システムによって実行され得る方法に必要な変更を加えて適用されるべきであり、システムによって実行され得る命令を記憶する非一時的コンピュータ可読媒体に必要な変更を加えて適用されるべきである。
【００３９】
本明細書での非一時的コンピュータ可読媒体への如何なる言及も、非一時的コンピュータ可読媒体の中に記憶される命令を実行可能なシステムに必要な変更を加えて適用されるべきであり、非一時的コンピュータ可読媒体の中に記憶される命令を読み取るコンピュータによって実行され得る方法に必要な変更を加えて適用されるべきである。
【００４０】
このことを念頭に置き、本明細書で開示する内容による、セルラネットワーク上で動作するデータサービスの概略図である図１に注目する。
【００４１】
本明細書で開示する内容によれば、環境１００はセルラネットワーク１１０を含む。セルラネットワーク１１０は地上のセルにわたって分布する通信ネットワークである。セルラネットワーク１１０は、ＵＭＴＳ型セルラネットワーク、ロングタームエボリューション（ＬＴＥ）型セルラネットワーク、高速パケットアクセス（ＨＳＰＡ）型セルラネットワーク、他の種類のセルラネットワーク、又はそれらのものの任意の組み合わせであり得る。セルラネットワーク１１０は複数のデータサービスサーバ（データサービスサーバＡ  １２０−ａ、データサービスサーバＢ  １２０−ｂ、．．．、データサービスサーバＮ  １２０−ｎ）を含み得る。
【００４２】
環境１００は、セルラネットワーク１１０上でデータサービスを消費するためにユーザによって使用される装置（例えば携帯電話、ラップトップコンピュータ、タブレット、スマートフォン、スマートウォッチ等）であるＵＥ（ユーザ機器Ａ  １３０−ａ、ユーザ機器Ｂ  １３０−ｂ、ユーザ機器Ｃ  １３０−ｃ、．．．、ユーザ機器Ｎ  １３０−ｎ）を更に含み得る。データサービスサーバ（データサービスサーバＡ  １２０−ａ、データサービスサーバＢ  １２０−ｂ、．．．、データサービスサーバＮ  １２０−ｎ）はセルラネットワーク１１０の機能を利用してＵＥ（ユーザ機器Ａ  １３０−ａ、ユーザ機器Ｂ  １３０−ｂ、ユーザ機器Ｃ  １３０−ｃ、．．．、ユーザ機器Ｎ  １３０−ｎ）との間でデータを送受信する。
【００４３】
ＵＥ（ユーザ機器Ａ  １３０−ａ、ユーザ機器Ｂ  １３０−ｂ、ユーザ機器Ｃ  １３０−ｃ、．．．、ユーザ機器Ｎ  １３０−ｎ）は、セルラネットワーク１１０によってデータサービスサーバ（データサービスサーバＡ  １２０−ａ、データサービスサーバＢ  １２０−ｂ、．．．、データサービスサーバＮ  １２０−ｎ）に接続することができる。ＵＥ（ユーザ機器Ａ  １３０−ａ、ユーザ機器Ｂ  １３０−ｂ、ユーザ機器Ｃ  １３０−ｃ、．．．、ユーザ機器Ｎ  １３０−ｎ）はデータサービスサーバ（データサービスサーバＡ  １２０−ａ、データサービスサーバＢ  １２０−ｂ、．．．、データサービスサーバＮ  １２０−ｎ）との間でセルラネットワーク１１０上でデータを送受信することができ、データサービスサーバ（データサービスサーバＡ  １２０−ａ、データサービスサーバＢ  １２０−ｂ、．．．、データサービスサーバＮ  １２０−ｎ）は、宛先ＵＥ（例えばユーザ機器Ａ  １３０−ａ、ユーザ機器Ｂ  １３０−ｂ、ユーザ機器Ｃ  １３０−ｃ、．．．、ユーザ機器Ｎ  １３０−ｎ）に到達するようにセルラネットワーク１１０によってデータをルーティングし、それによりＵＥ（ユーザ機器Ａ  １３０−ａ、ユーザ機器Ｂ  １３０−ｂ、ユーザ機器Ｃ  １３０−ｃ、．．．、ユーザ機器Ｎ  １３０−ｎ）のユーザにデータに基づくサービスを提供することができる。
【００４４】
不十分なユーザエクスペリエンスを招かないやり方でサービスが動作するように、データサービスの一部はＵＥ（ユーザ機器Ａ  １３０−ａ、ユーザ機器Ｂ  １３０−ｂ、ユーザ機器Ｃ  １３０−ｃ、．．．、ユーザ機器Ｎ  １３０−ｎ）の短い応答時間を必要とする。ＰｏＣサービスは、そのような短い応答時間を必要とするデータサービスの一例である。ＰｏＣはユーザが自分のＵＥ（ユーザ機器Ａ  １３０−ａ、ユーザ機器Ｂ  １３０−ｂ、ユーザ機器Ｃ  １３０−ｃ、．．．、ユーザ機器Ｎ  １３０−ｎ）を携帯用無線電話器としてセルラネットワーク１１０上で使用することを可能にするデータサービスであり、ボタンを一押しすることで単一のユーザがＰｏＣセッションを確立し、別の単一のＵＥ（ユーザ機器Ａ  １３０−ａ、ユーザ機器Ｂ  １３０−ｂ、ユーザ機器Ｃ  １３０−ｃ、．．．、ユーザ機器Ｎ  １３０−ｎ）又はＵＥ（ユーザ機器Ａ  １３０−ａ、ユーザ機器Ｂ  １３０−ｂ、ユーザ機器Ｃ  １３０−ｃ、．．．、ユーザ機器Ｎ  １３０−ｎ）のアクティブトークグループに到達することを可能にする。典型的なプッシュツートーク接続はＵＥ（例えばユーザ機器Ａ  １３０−ａ、ユーザ機器Ｂ  １３０−ｂ、ユーザ機器Ｃ  １３０−ｃ、．．．、ユーザ機器Ｎ  １３０−ｎ）をグループにほぼ即座に接続すべきである。例えば１秒未満でＰｏＣセッションを開始し、呼び出しに接続する。ＰｏＣデータサービスのセットアップでは、データサービスサーバ（データサービスサーバＡ  １２０−ａ、データサービスサーバＢ  １２０−ｂ、．．．、データサービスサーバＮ  １２０−ｎ）の１つ又は複数がＰｏＣサーバとして動作し、とりわけ集中型のＰｏＣセッション処理、メディア配信、入セッションに対するポリシ強制、セッションリレー管理、及び参加者情報の管理を行う。
【００４５】
セルラネットワーク１１０の一部の種類上の、例えばＵＭＴＳ型セルラネットワーク１１０（即ち３Ｇ及び３．５Ｇセルラネットワーク）上の現行の短応答時間データサービス実装は、データサービスに参加するＵＥ（例えばユーザ機器Ａ  １３０−ａ、ユーザ機器Ｂ  １３０−ｂ、ユーザ機器Ｃ  １３０−ｃ、．．．、ユーザ機器Ｎ  １３０−ｎ）に要求される短い応答時間を維持するためにセルラネットワーク１１０を「回線交換」式に利用することに留意すべきである。この方法では、データサービスに参加している各ＵＥ（例えばユーザ機器Ａ  １３０−ａ、ユーザ機器Ｂ  １３０−ｂ、ユーザ機器Ｃ  １３０−ｃ、．．．、ユーザ機器Ｎ  １３０−ｎ）に専用物理チャネルが継続的に割り当てられる。専用物理チャネルを継続的に割り当てることは、ＵＥ（ユーザ機器Ａ  １３０−ａ、ユーザ機器Ｂ  １３０−ｂ、ユーザ機器Ｃ  １３０−ｃ、．．．、ユーザ機器Ｎ  １３０−ｎ）とデータサービスサーバ（データサービスサーバＡ  １２０−ａ、データサービスサーバＢ  １２０−ｂ、．．．、データサービスサーバＮ  １２０−ｎ）との間で、専用チャネルを使用しない場合の発見時間及び接続時間と比較して即座の発見及び接続を可能にする。この動作方法は非効率であり、データトラフィックが適用されていないときでさえ高コストのネットワーク通信資源を維持することを必要とし、ＵＥ（ユーザ機器Ａ  １３０−ａ、ユーザ機器Ｂ  １３０−ｂ、ユーザ機器Ｃ  １３０−ｃ、．．．、ユーザ機器Ｎ  １３０−ｎ）のモデムが常に使用されるのでＵＥ（ユーザ機器Ａ  １３０−ａ、ユーザ機器Ｂ  １３０−ｂ、ユーザ機器Ｃ  １３０−ｃ、．．．、ユーザ機器Ｎ  １３０−ｎ）における高エネルギ消費量の原因になる。
【００４６】
ＵＭＴＳ型セルラネットワーク１１０上の現行のＰｏＣ実装は同じ「回線交換」方法を適用する。この方法は、参加している各ＵＥ（例えばユーザ機器Ａ  １３０−ａ、ユーザ機器Ｂ  １３０−ｂ、ユーザ機器Ｃ  １３０−ｃ、．．．、ユーザ機器Ｎ  １３０−ｎ）が非常に短いセットアップ時間で単一呼び出し又はグループ呼び出しを確立することを可能にし、ほぼ即座の応答時間をユーザに保証する。例えば１秒未満でＰｏＣセッションをセットアップし、呼び出しに接続する。それでもなお、この方法はセルラネットワーク１１０の資源を専用的に利用すること（アイドルのときでさえＰｏＣセッション中に各参加ＵＥ（例えばユーザ機器Ａ  １３０−ａ、ユーザ機器Ｂ  １３０−ｂ、ユーザ機器Ｃ  １３０−ｃ、．．．、ユーザ機器Ｎ  １３０−ｎ）にセルラネットワーク１１０の資源を割り当てること）を必要とする。ＰｏＣデータサービスのためのこの動作方法は非効率であり、高コストのセルラネットワーク資源を無駄に割り当てることを必要とし、モデムが常にデータ伝送モードで機能するのでＵＥ（例えばユーザ機器Ａ  １３０−ａ、ユーザ機器Ｂ  １３０−ｂ、ユーザ機器Ｃ  １３０−ｃ、．．．、ユーザ機器Ｎ  １３０−ｎ）における高エネルギ消費量の原因になる。
【００４７】
本明細書に示す通り本明細書で開示する内容は、各参加ＵＥ（ユーザ機器Ａ  １３０−ａ、ユーザ機器Ｂ  １３０−ｂ、ユーザ機器Ｃ  １３０−ｃ、．．．、ユーザ機器Ｎ  １３０−ｎ）に専用チャネルを継続的に割り当てることを必要とせず、且つモデムが常にデータ伝送モードで機能することを必要とせず、従ってセルラネットワーク１１０の通信資源及びＵＥ（ユーザ機器Ａ  １３０−ａ、ユーザ機器Ｂ  １３０−ｂ、ユーザ機器Ｃ  １３０−ｃ、．．．、ユーザ機器Ｎ  １３０−ｎ）上のエネルギを節約しながら、不十分なユーザエクスペリエンスを招かないやり方で動作する、セルラネットワーク１１０による短応答時間データサービスのためのシステム及び方法に言及する。このことは、本明細書で更に詳述するようにアイドル状態へのＵＥ（ユーザ機器Ａ  １３０−ａ、ユーザ機器Ｂ  １３０−ｂ、ユーザ機器Ｃ  １３０−ｃ、．．．、ユーザ機器Ｎ  １３０−ｎ）の少なくとも１つの遷移を阻止する、ＵＥ（ユーザ機器Ａ  １３０−ａ、ユーザ機器Ｂ  １３０−ｂ、ユーザ機器Ｃ  １３０−ｃ、．．．、ユーザ機器Ｎ  １３０−ｎ）内の遷移制度を維持することによって実現することができる。
【００４８】
図１に示す非限定的な例では、セルラネットワーク１１０がＵＭＴＳ型セルラネットワーク１１０又はＬＴＥ型セルラネットワーク１１０であり得る。データサービスサーバ（データサービスサーバＡ  １２０−ａ、データサービスサーバＢ  １２０−ｂ、．．．、データサービスサーバＮ  １２０−ｎ）はＰｏＣサーバとすることができ、ＵＥ（ユーザ機器Ａ  １３０−ａ、ユーザ機器Ｂ  １３０−ｂ、ユーザ機器Ｃ  １３０−ｃ、．．．、ユーザ機器Ｎ  １３０−ｎ）はモデム経由でセルラネットワーク１１０に接続可能なスマートフォンであり得る。この非限定的な例では、ユーザ機器Ｂ  １３０−ｂ及びユーザ機器Ｃ  １３０−ｃがアクティブトークグループに参加している。ユーザ機器Ａ  １３０−ａのモデムは中間状態に保たれる。つまり、ユーザ機器Ａ  １３０−ａとセルラネットワーク１１０との間に専用通信チャネルは割り当てられていない。このことは、ユーザ機器Ａ  １３０−ａのエネルギ消費量の方が、ユーザ機器Ａ  １３０−ａのモデムが専用チャネル状態に保たれる場合のユーザ機器Ａ  １３０−ａのエネルギ消費量よりも低いことも意味する。ユーザ機器Ａ  １３０−ａが単一の呼び出しに接続したい又はトークグループに参加したい場合、ユーザ機器Ａ  １３０−ａのモデムが専用チャネル状態に遷移し、ユーザ機器Ａ  １３０−ａとデータサービスサーバＡ  １２０−ａとの間の接続がセルラネットワーク１１０によって確立される。接続を確立する前にユーザ機器Ａ  １３０−ａのモデムがアイドル状態にある場合、中間状態から専用チャネル状態にユーザ機器Ａ  １３０−ａのモデムを遷移させるのにかかる期間は、アイドル状態から専用チャネル状態にユーザ機器Ａ  １３０−ａのモデムを遷移させるのにかかる期間よりも短いことに留意すべきである。この非限定的な例では、アイドル状態から専用チャネル状態に遷移するときにＰｏＣセッションを開始する場合の３秒を超えるレイテンシとは対照的に、ユーザ機器Ａ  １３０−ａはＰｏＣセッションを１秒未満で開始することができる。
【００４９】
本明細書で開示する内容による、セルラネットワークによる短応答時間データサービスのためのシステムの一例を概略的に示すブロック図である図２に注目する。
【００５０】
本明細書で開示する内容の特定の例によれば、ＵＥ１３０（例えばユーザ機器Ａ  １３０−ａ、ユーザ機器Ｂ  １３０−ｂ、ユーザ機器Ｃ  １３０−ｃ、．．．、ユーザ機器Ｎ  １３０−ｎの何れか１つ）は、セルラネットワーク１１０との間でデータを転送するために１つ又は複数のセルラネットワーク１１０に接続可能なモデム２１０を含み得る。セルラネットワーク１１０は、ＵＭＴＳ型セルラネットワーク、ＬＴＥ型セルラネットワーク、ＨＳＰＡ型セルラネットワーク、他の種類のセルラネットワーク、又はそれらのものの任意の組み合わせであり得る。
【００５１】
ＵＥ１３０は、とりわけデータサービスを確立するとき及びデータサービスに参加するとき等にＵＥ１３０を識別するための１つ又は複数の識別パラメータを含むデータを記憶するように構成されるデータリポジトリ２００（例えばデータベース、記憶システム、読取専用メモリ（ＲＯＭ）、ランダムアクセスメモリ（ＲＡＭ）、又は他の任意の種類のメモリを含むメモリ等）を更に含むことができ、或いはかかるデータリポジトリ２００に更に関連し得る。データリポジトリ２００は、記憶済みデータの取得及び／又は更新及び／又は削除を可能にするように更に構成され得る。一部の事例では、例えばＵＥ１３０がモデム２１０経由で接続するセルラネットワーク１１０を介して、データリポジトリ２００上に記憶されている情報へのアクセスをＵＥ１３０が有しながらデータリポジトリ２００が分散されてもよい。
【００５２】
ＵＥ１３０は１つ又は複数の処理資源２２０を更に含む。処理資源２２０は、ＵＥ１３０の関連資源を制御するためのデータ及びＵＥ１３０の資源に関係する動作を可能にするためのデータを独立に又は協同して処理するように適合される複数の及び／又は並列の及び／又は分散された処理ユニットを含む、１つ又は複数の処理ユニット（例えば中央処理装置）、マイクロプロセッサ、マイクロコントローラ、又は他の任意の計算装置若しくはモジュールであり得る。
【００５３】
処理資源２２０は、状態遷移制度モジュール２３０、データサービスモジュール２４０、及び発見情報更新モジュール２５０のうちの１つ又は複数を含み得る。
【００５４】
本明細書で開示する内容の一部の例によれば、状態遷移制度モジュール２３０は、とりわけ図３に関して本明細書で更に詳述するように状態遷移制度プロセスを実行するように構成され得る。データサービスモジュール２４０は、とりわけ図４に関して本明細書で更に詳述するようにデータサービスプロセスを実行するように構成され得る。発見情報更新モジュール２５０は、とりわけ図５に関して本明細書で更に詳述するように発見情報更新プロセスを実行するように構成され得る。
【００５５】
本明細書で説明するように、各ＵＥ１３０はモデム２１０、データリポジトリ２００、及び処理資源２２０を含む。先に述べたように、モデム２１０は１つ又は複数のセルラネットワーク１１０にＵＥ１３０を接続することができ、かかるセルラネットワーク１１０の少なくとも１つはＵＭＴＳ型セルラネットワーク１１０である。ＵＥ１３０のモデム２１０は次の非限定的な状態、つまりアイドル状態、１つ又は複数の中間状態、及び専用チャネル状態のうちの１つにあり得る。アイドル状態では、モデム２１０がセルラネットワーク１１０に接続されない。専用チャネル状態では、モデム２１０が専用通信チャネルによってセルラネットワーク１１０に接続される。中間状態のそれぞれにおいて、モデム２１０は専用通信チャネルによってセルラネットワーク１１０に接続されず、対応する中間状態の１つから専用チャネル状態に遷移するのにかかる期間は、アイドル状態から専用チャネル状態に遷移するのにかかる期間よりも短い。ＵＥ１３０の処理資源２２０は、ＵＥ１３０の状態遷移制度を維持するように構成され、状態遷移制度は少なくとも１つの期間にわたってアイドル状態へのＵＥ１３０の少なくとも１つの遷移を阻止することを含む。とりわけ図３に関して更なる説明を本明細書で行う。
【００５６】
中間状態にあるＵＥ１３０の電力消費量は、専用チャネル状態にあるＵＥ１３０の電力消費量よりも低いことに留意すべきである。
【００５７】
更なる実施形態では、モデム２１０がＬＴＥ型セルラネットワーク１１０にＵＥ１３０を更に接続することができる。ＵＭＴＳ型セルラネットワーク１１０からＬＴＥ型セルラネットワーク１１０にＵＥ１３０が切り替わるために、モデム２１０はアイドル状態になければならない。この実施形態では、ＵＥ１３０をアイドル状態に、例えば中間状態からアイドル状態に周期的に遷移させ、それによりモデム２１０がＵＭＴＳ型セルラネットワーク１１０からＬＴＥ型セルラネットワーク１１０に、かかる切り替えが可能な場合に切り替わることを可能にするように処理資源２２０が更に構成され得る。
【００５８】
更なる実施形態では、処理資源２２０がＵＥ１３０の状態遷移制度を維持するように更に構成され、状態遷移制度はＵＥ１３０を専用チャネル状態に周期的に遷移させ、それによりＵＥ１３０に関連する発見情報をセルラネットワーク１１０に更新させることを含む。
【００５９】
本明細書で開示する内容による、ＵＥが取り得る状態の一例を概略的に示すブロック図である図３に注目する。
【００６０】
本明細書で開示する内容の特定の例によれば、本明細書で更に詳述するように、ＵＥ１３０は例えば状態遷移制度モジュール２３０を利用してモデム２１０の状態遷移制度を制御するように構成され得る。
【００６１】
モデム２１０は次の非限定的な状態、つまりアイドル状態３１０、１つ又は複数の中間状態（中間状態Ａ  ３２０−ａ、中間状態Ｂ  ３２０−ｂ、．．．、中間状態Ｎ  ３２０−ｎ）、及び専用チャネル状態３３０のうちの１つにあり得る。
【００６２】
アイドル状態３１０では、モデム２１０がセルラネットワーク１１０に接続されない。専用チャネル状態３３０では、モデム２１０が専用通信チャネルによってセルラネットワーク１１０に接続される。中間状態（中間状態Ａ  ３２０−ａ、中間状態Ｂ  ３２０−ｂ、．．．、中間状態Ｎ  ３２０−ｎ）のそれぞれにおいて、モデム２１０は専用通信チャネルによってセルラネットワーク１１０に接続されず、対応する中間状態（中間状態Ａ  ３２０−ａ、中間状態Ｂ  ３２０−ｂ、．．．、中間状態Ｎ  ３２０−ｎ）の１つから専用チャネル状態３３０に遷移するのにかかる期間は、アイドル状態３１０から専用チャネル状態３３０に直接遷移するのにかかる期間よりも短い。
【００６３】
状態遷移制度モジュール２３０は、モデム２１０の状態をアイドル状態３１０から専用チャネル状態３３０に（及びその逆に）直接変更することができる。状態遷移制度モジュール２３０は、モデム２１０の状態をアイドル状態３１０から中間状態（中間状態Ａ  ３２０−ａ、中間状態Ｂ  ３２０−ｂ、．．．、中間状態Ｎ  ３２０−ｎ）の１つに（及びその逆に）、及び中間状態（中間状態Ａ  ３２０−ａ、中間状態Ｂ  ３２０−ｂ、．．．、中間状態Ｎ  ３２０−ｎ）の１つから専用チャネル状態３３０に（及びその逆に）変更することができる。
【００６４】
モデム２１０が中間状態（中間状態Ａ  ３２０−ａ、中間状態Ｂ  ３２０−ｂ、．．．、中間状態Ｎ  ３２０−ｎ）の１つにある間のＵＥ１３０の電力消費量は、モデム２１０が専用チャネル状態３３０にあるときのＵＥ１３０の電力消費量よりも低いことに留意すべきである。
【００６５】
開示する内容の一実施形態では、中間状態（中間状態Ａ  ３２０−ａ、中間状態Ｂ  ３２０−ｂ、．．．、中間状態Ｎ  ３２０−ｎ）が、無線資源制御（ＲＲＣ）プロトコルによって定められるＵＲＡ＿ＰＣＨ（ＵＴＲＡＮ登録エリアページングチャネル）状態、ＣＥＬＬ＿ＰＣＨ（セルページングチャネル）状態、又はＣＥＬＬ＿ＦＡＣＨ（フォワードアクセスチャネル）状態のうちの１つ又は複数である。
【００６６】
このことを念頭に置き、本明細書で開示する内容による、アイドル状態へのＵＥの少なくとも１つの遷移を阻止するために実行される一連の操作の一例を示す流れ図である図４に注目する。
【００６７】
本明細書で開示する内容の特定の例によれば、ＵＥ１３０は、例えばデータサービスモジュール２４０を利用してデータサービスプロセス４００を実行するように構成され得る。
【００６８】
そのために、ＵＥ１３０はＵＥ１３０の状態遷移制度を維持するように構成することができ、状態遷移制度は少なくとも１つの期間にわたってアイドル状態３１０へのＵＥ１３０の少なくとも１つの遷移を阻止し、それによりＵＥ１３０を中間状態（即ち中間状態Ａ  ３２０−ａ、中間状態Ｂ  ３２０−ｂ、．．．、中間状態Ｎ  ３２０−ｎ）の１つに保つことを含む。
【００６９】
そのために、ＵＥ１３０はモデム２１０経由でセルラネットワーク１１０にメッセージを周期的に伝送し、それによりアイドル状態３１０へのモデム２１０の遷移を阻止するように構成することができる（ブロック４１０）。非限定的な例では、ＵＥ１３０がｒｅｔｕｒｎ＿ｔｏ＿ｉｄｌｅ期間以上の期間にわたってセルラネットワーク１１０との間でメッセージを送受信しない場合、モデム２１０がアイドル状態３１０に遷移するやり方でＵＥ１３０が構成される。この例では、メッセージの周期的伝送がｒｅｔｕｒｎ＿ｔｏ＿ｉｄｌｅ期間よりも小さい伝送間の期間の範囲内にあり得る。現実世界の例は、６０秒であるように構成されるｒｅｔｕｒｎ＿ｔｏ＿ｉｄｌｅ期間及びメッセージが２５秒ごとにモデム２１０によって伝送され、従ってアイドル状態３１０への遷移を阻止するものであり得る。
【００７０】
ＵＥ１３０はＵＥ１３０をアイドル状態３１０に周期的に遷移させ、それによりモデム２１０がＵＭＴＳ型セルラネットワーク１１０から、ＵＭＴＳ型セルラネットワーク１１０と比較して高速の通信速度を有するＬＴＥ型セルラネットワーク１１０に、かかるＬＴＥネットワークがモデム２１０によって発見可能な場合に切り替わることを可能にするように更に構成され得る（ブロック４２０）。非限定的な例は、ＵＥ１３０が５分ごとにアイドル状態３１０に周期的に遷移し、４０秒の期間にわたってアイドル状態３１０にとどまるものであり得る。
【００７１】
ＵＥ１３０の状態遷移制度を制御するために処理資源２２０によって実行されるアルゴリズムの一例をとりわけ図６に関して本明細書で更に詳述することができる。
【００７２】
図４に関して、ブロックの一部は統合ブロックにまとめることができ又は幾つかのブロックに細分できること、及び／又は他のブロックが追加されてもよいことに留意すべきである。更に一部の事例では、本明細書に記載するのと異なる順序でブロックを実行することができる（例えばブロック４１０の前にブロック４２０を実行すること等ができる）。ブロックの一部は任意選択的であることに更に留意すべきである。流れ図は、流れ図を実現するシステム要素に関しても説明するが、これは決して義務的ではなく、本明細書に記載する以外の要素によってブロックは実行できることにも留意すべきである。
【００７３】
図５に移り、本明細書で開示する内容による、ＵＥに関連する発見情報をセルラネットワークに更新させるために実行される一連の操作の一例を示す流れ図が示されている。
【００７４】
この実施形態では、モデム２１０が少なくともアイドル状態３１０及び専用チャネル状態３３０を有し、アイドル状態３１０ではモデム２１０はセルラネットワーク１１０に接続されず、専用チャネル状態３３０ではモデム２１０は専用通信チャネルによってセルラネットワーク１１０に接続される。
【００７５】
本明細書で開示する内容の特定の例によれば、ＵＥ１３０は、例えば発見情報更新モジュール２５０を利用して発見情報更新プロセス５００を実行するように構成され得る。
【００７６】
そのために、ＵＥ１３０はモデム２１０の状態を管理する、ＵＥ１３０の状態遷移制度を維持するように構成され得る（ブロック５１０）。
【００７７】
ＵＥ１３０は、ＵＥ１３０を専用チャネル状態３３０に周期的に遷移させ、それによりＵＥ１３０に関連する発見情報をセルラネットワーク１１０に更新させるように更に構成される。このことはセルラネットワーク１１０がＵＥ１３０に関する最新の発見情報を有することを可能にし、ＵＥ１３０に到達するのに必要な通信経路を発見する長いプロセスの必要性を防ぐ（ブロック５２０）。
【００７８】
例えば、データサービスサーバＡ  １２０−ａによって提供されるデータサービスにユーザ機器Ａ  １３０−ａが参加している場合がある。データサービスサーバＡ  １２０−ａがデータサービスを提供するために、データサービスサーバＡ  １２０−ａはユーザ機器Ａ  １３０−ａに到達するのに必要なセルラネットワーク１１０上の通信経路に関連する発見情報を維持する。この発見情報は、ユーザ機器Ａ  １３０−ａが専用チャネル状態３３０にあるとき更新される。ユーザ機器Ａ  １３０−ａが専用チャネル状態３３０にない場合、発見情報は更新されず、ユーザ機器Ａ  １３０−ａまでの発見経路は時間と共に変わり得るので重要でなくなる可能性があり、例えばユーザ機器Ａ  １３０−ａがセルラネットワーク１１０の特定のセルラ方式のセルによって到達することができ、ユーザ機器Ａ  １３０−ａの位置が変わったことでユーザ機器Ａ  １３０−ａが今度はセルラネットワーク１１０の別のセルラ方式のセルによって到達される場合、どのセルによってユーザ機器Ａ  １３０−ａに到達するのかについての情報を更新すべきである。ユーザ機器Ａ  １３０−ａは専用チャネル状態３３０に周期的に遷移するように構成され、それによりユーザ機器Ａ  １３０−ａに関連する発見情報をセルラネットワーク１１０に更新させ、発見情報を関連性のあるもの且つ最新に保つ。
【００７９】
図５に関して、ブロックの一部は統合ブロックにまとめることができ又は幾つかのブロックに細分できること、及び／又は他のブロックが追加されてもよいことに留意すべきである。更に一部の事例では、本明細書に記載するのと異なる順序でブロックを実行することができる（例えばブロック５１０の前にブロック５２０を実行すること等ができる）。ブロックの一部は任意選択的であることに更に留意すべきである。流れ図は、流れ図を実現するシステム要素に関しても説明するが、これは決して義務的ではなく、本明細書に記載する以外の要素によってブロックは実行できることにも留意すべきである。
【００８０】
このことを念頭に置き、本明細書で開示する内容による、アイドル状態へのＵＥの少なくとも１つの遷移を阻止するためにＵＥにおいて実行されるアルゴリズムの一例を示す流れ図である図６に注目する。
【００８１】
そのために、処理資源２２０は初期状態モードにあるように構成することができ、初期状態モードではモデム２１０が次の状態、つまりアイドル状態３１０、１つ又は複数の中間状態（中間状態Ａ  ３２０−ａ、中間状態Ｂ  ３２０−ｂ、．．．、中間状態Ｎ  ３２０−ｎ）、及び専用チャネル状態３３０のうちの１つにある（ブロック６１０）。
【００８２】
モデム２１０がＬＴＥ型セルラネットワーク１１０に接続されているかどうかを確認することにより、処理資源２２０はモデム２１０がＬＴＥモードにあるかどうかを確認することができる。モデム２１０がＬＴＥ型セルラネットワーク１１０に接続されている場合、処理資源２２０はブロック６１０に戻るように構成される。さもなければ処理資源２２０はブロック６３０に進み（ブロック６２０）、モデム２１０を中間状態（中間状態Ａ  ３２０−ａ、中間状態Ｂ  ３２０−ｂ、．．．、中間状態Ｎ  ３２０−ｎ）に遷移させるように構成される。モデム２１０は（中間状態にない場合は）中間状態に遷移し、Ｉｎｔｅｒｍｅｄｉａｔｅ＿Ｔｉｍｅｒ期間（例えば１秒間、２秒間等）にわたって中間状態（中間状態Ａ  ３２０−ａ、中間状態Ｂ  ３２０−ｂ、．．．、中間状態Ｎ  ３２０−ｎ）にとどまることができる。一実施形態では、中間状態（中間状態Ａ  ３２０−ａ、中間状態Ｂ  ３２０−ｂ、．．．、中間状態Ｎ  ３２０−ｎ）からの遷移を阻止するために、モデム２１０がＵＭＴＳ型セルラネットワーク１１０にＩｎｔｅｒｍｅｄｉａｔｅ＿Ｔｉｍｅｒ期間中にメッセージを周期的に伝送することができる（ブロック６３０）。
【００８３】
Ｉｎｔｅｒｍｅｄｉａｔｅ＿Ｔｉｍｅｒ期間の後、処理資源２２０はモデム２１０をアイドル状態３１０に遷移させることができる。モデム２１０は、Ｉｄｌｅ＿Ｔｉｍｅｒ期間（例えば１秒間、２秒間等）にわたってアイドル状態３１０にとどまることができる（ブロック６４０）。ＵＭＴＳ型セルラネットワーク１１０からＬＴＥ型セルラネットワーク１１０への切り替えはモデム２１０がアイドル状態３１０にあるときにしか行うことができないので、アイドル状態３１０にとどめることはモデム２１０がＵＭＴＳ型セルラネットワーク１１０から、ＵＭＴＳ型セルラネットワーク１１０と比較して高速の通信速度を有するＬＴＥ型セルラネットワーク１１０に、かかるＬＴＥネットワークがモデム２１０によって発見可能な場合に切り替わることを可能にする。
【００８４】
処理資源２２０はモデム２１０を利用し、接続のためにＬＴＥ型セルラネットワーク１１０がモデム２１０にとって利用可能かどうかを確認することができる。ＬＴＥ型セルラネットワーク１１０が利用可能である場合、処理資源２２０はブロック６６０に進むように構成され、さもなければ処理資源２２０はブロック６３０に戻るように構成される（ブロック６５０）。
【００８５】
処理資源２２０はモデム２１０を利用してＬＴＥ型セルラネットワーク１１０に接続し、その後ブロック６１０に戻る（ブロック６６０）。
【００８６】
図６に関して、ブロックの一部は統合ブロックにまとめることができ又は幾つかのブロックに細分できること、及び／又は他のブロックが追加されてもよいことに留意すべきである。更に一部の事例では、本明細書に記載するのと異なる順序でブロックを実行することができる。ブロックの一部は任意選択的であることに更に留意すべきである。流れ図は、流れ図を実現するシステム要素に関しても説明するが、これは決して義務的ではなく、本明細書に記載する以外の要素によってブロックは実行できることにも留意すべきである。
【００８７】
本明細書で開示した内容は、本明細書に含まれる説明の中で記載されている又は図面に示されている詳細への適用に限定されないことを理解すべきである。本明細書で開示した内容は他の実施形態が可能であり、様々なやり方で実践し実行することができる。従って本明細書で使用した表現及び用語は説明を目的としており、限定と見なすべきではない。そのため、本開示が基づく概念は本明細書で開示した内容の幾つかの目的を実行するための他の構造、方法、及びシステムを設計するための基礎として容易に利用できることを当業者なら理解されよう。
【００８８】
本明細書で開示した内容によるシステムは、適切にプログラムされたコンピュータとして少なくとも部分的に実装できることも理解されよう。同様に、本明細書で開示した内容は、開示した方法を実行するためのコンピュータによって読み取り可能なコンピュータプログラムを予期する。本明細書で開示した内容は、開示した方法を実行するための機械によって実行可能な命令のプログラムを有形に実装する機械可読メモリを更に予期する。
【図１】
2021525023.tif 000003
【図２】
2021525023.tif 000004
【図３】
2021525023.tif 000005
【図４】
2021525023.tif 000006
【図５】
2021525023.tif 000007
【図６】
2021525023.tif 000008
【国際調査報告】
2021525023.tif 000009
2021525023.tif 000010
2021525023.tif 000011